(57)【要約】【課題】現地点に対応する地域情報によってユーザと現地点との相互交流を向上させる。【解決手段】サーバは移動端末が送信した自身の現地点の位置情報を受信し、サーバは位置情報による検索を通じて現地点に基づく地域情報リストを取得し、この現地点に基づく地域情報リストを移動端末へ送信し、サーバは移動端末が送信した信号を受信し、この信号に対応する地域情報を移動端末へ返信する。ここの開示される方法では、ユーザが現在到着している地点を取得し、その地点に対応する地域情報リストをユーザにプッシュし、プッシュした地域情報リストにおいてユーザが選択したオプションにしたがって、この現地点に関連する地域情報をユーザにプッシュする。【選択図】図１
2015510362.tif 000002
【特許請求の範囲】
【請求項１】
移動端末は、サーバが現地点の位置情報による検索を通じて、前記現地点に基づく地域情報リストを取得し、取得した前記現地点に基づく地域情報リストを前記移動端末へ送信できるように、前記現地点の位置情報を前記サーバへ送信し、
前記移動端末は、前記地域情報リストにおけるユーザの選択に応じた信号を前記サーバへ送信し、
前記移動端末は、前記サーバが返信した前記信号に対応する地域情報を受信し、受信した前記地域情報を表示する、
情報取得方法。
【請求項２】
前記移動端末が前記現地点の位置情報を前記サーバへ送信することに先だって、さらに、前記移動端末は前記現地点の位置情報を取得して、事前に設定したタイマーの測時操作により、設定した時間間隔で定期的にリマインダーを表示する、
請求項１に記載の情報取得方法。
【請求項３】
前記地域情報リストは、少なくとも、地点紹介オプションと経路図オプションとを含む、
請求項１または２に記載の情報取得方法。
【請求項４】
前記地域情報リストは、さらに、景勝地概要紹介オプションと、周辺飲食オプションと、旅行計画オプションと、ダウンロードソフトウェアスキンオプションと、プロモーション情報オプションと、天候オプションとの、少なくとも１つを含む、
請求項３に記載の情報取得方法。
【請求項５】
サーバは、移動端末が送信した前記移動端末の現地点の位置情報を受信し、
前記サーバは、前記位置情報による検索を通じて、前記現地点に基づく地域情報リストを取得し、取得した前記現地点に基づく地域情報リストを前記移動端末へ送信し、
前記サーバは前記移動端末が送信した信号を受信し、受信した前記信号に対応する地域情報を前記移動端末へ返信する、
情報プッシュ方法。
【請求項６】
前記サーバが前記現地点に基づく地域情報リストを前記移動端末へ送信することに先だって、さらに、前記サーバは、前記現地点に基づく地域情報リストにおけるオプションの分類を行う、
請求項５に記載の情報プッシュ方法。
【請求項７】
サーバが、現地点の位置情報による検索を通じて、前記現地点に基づく地域情報リストを取得できるように、前記現地点の位置情報を前記サーバへ送信するよう構成した位置情報送信モジュールと、
前記地域情報リストにおけるユーザの選択に応じた信号を前記サーバへ送信するよう構成した信号送信モジュールと、
前記サーバが返信した前記信号に対応する地域情報を受信して、受信した前記地域情報を表示するよう構成した地域情報表示モジュールを備える、
移動端末。
【請求項８】
前記地域情報リストは、少なくとも、紹介オプションと経路図オプションを含む、
請求項７に記載の移動端末。
【請求項９】
前記現地点の地域情報を取得し、設定した時間間隔で定期的にリマインダーを表示させるよう前記移動端末を制御するタイマーモジュールをさらに備える、
請求項７または８に記載の移動端末。
【請求項１０】
移動端末が送信した前記移動端末の現地点の位置情報を受信するよう構成した位置情報受信モジュールと、
前記位置情報による検索を通じて、前記現地点に基づく地域情報リストを取得し、取得した前記現地点に基づく地域情報リストを前記移動端末へ送信するよう構成したリスト取得モジュールと、
前記移動端末が送信した信号を受信し、受信した前記信号に対応する地域情報を前記移動端末へ返信するよう構成した地域情報送信モジュールと、
を備えるサーバ。
【請求項１１】
前記リスト取得モジュールが取得した前記地域情報リストは、少なくとも、地点紹介オプションと経路図オプションとを含む、
請求項１０に記載のサーバ。
【請求項１２】
前記リスト取得モジュールが前記現地点に基づく地域情報リストを前記移動端末へ送信することに先だって、前記現地点に基づく地域情報リスト内におけるオプションを分類するよう構成したオプション分類モジュールをさらに備える、
請求項１０または１１に記載のサーバ。
【請求項１３】
移動端末とサーバとを備え、
前記移動端末は、
前記サーバが現地点の位置情報による検索を通じて、前記現地点に基づく地域情報リストを取得できるように、前記現地点の位置情報を前記サーバへ送信するよう構成した位置情報送信モジュールと、
前記地域情報リストにおけるユーザの選択に応じた信号を前記サーバへ送信するよう構成した信号送信モジュールと、
前記サーバが返信した前記信号に対応する地域情報を受信し、受信した前記地域情報を表示するよう構成した地域情報表示モジュールと、
を備え、
前記サーバは、
移動端末が送信した前記移動端末の現地点の位置情報を受信するよう構成した位置情報受信モジュールと、
前記位置情報による検索を通じて、前記現地点に基づく地域情報リストを取得し、取得した前記現地点に基づく地域情報リストを前記移動端末へ送信するよう構成したリスト取得モジュールと、
前記移動端末が送信した信号を受信し、受信した前記信号に対応する地域情報を前記移動端末へ返信するよう構成した地域情報送信モジュールと、
を備える情報取得・プッシュシステム。
【請求項１４】
前記移動端末は、前記現地点の地域情報を取得し、設定した時間間隔で定期的にリマインダーを表示させるよう前記移動端末を制御するタイマーモジュールをさらに備える、
請求項１３に記載の情報取得・プッシュシステム。
【請求項１５】
前記サーバは、前記リスト取得モジュールが前記現地点に基づく地域情報リストを前記移動端末へ送信することに先だって、前記現地点に基づく地域情報リスト内におけるオプションを分類するよう構成したオプション分類モジュールをさらに備える、
請求項１３に記載の情報取得・プッシュシステム。
【発明の詳細な説明】
【技術分野】
【０００１】
本発明は、コンピュータ技術に関し、詳しくは、情報取得方法と、情報プッシュ方法と、移動端末と、サーバと、システムとに関する。
【０００２】
本出願は、中華人民共和国国家知識産権局への出願日を２０１２年２月２９日とし、発明の名称を「情報取得方法、情報プッシュ方法、移動端末、サーバ、およびシステム」とする、中国特許出願第２０１２１００４９７６３．６号の利益を主張するものである。該出願明細書の全開示内容を、ここに参考文献として援用する。
【背景技術】
【０００３】
インターネットの発展、特に、無線ネットワークの急速な発展とともに、移動ネットワークにアクセスする装置の数は増加し続けている。この場合、位置情報サービス（ＬＢＳ）が広く一般に用いられ、ユーザは様々な方法で自身の位置に関する情報を取得可能となっている。
【０００４】
これらの方法とは、例えば、全地球位置発見システム（ＧＰＳ）を通じて行う位置特定、端末に内蔵したＧＰＳチップを通じて行う位置特定、移動端末通信事業者の基地局を通じて行う位置特定、最近急速に開発が進むワイヤレス・フィディリティー（ＷｉＦｉ）を通じて行う位置特定が含まれる。
【発明の概要】
【発明が解決しようとする課題】
【０００５】
本開示技術を実施する中、発明者は、先行技術には少なくとも以下に指摘する問題点があることを発見した。
【０００６】
先行技術において、ユーザ位置の取得はすでに実現されており、ユーザの位置特定に関する要望に対応している。これにより、ユーザは自身の位置を明確に把握することができる。一方、先行技術では、地理的位置に対するユーザの多種多様な要望を満たすには至っておらず、ユーザの現在位置に関する地域情報との相互交流は未だ図られていない。
【課題を解決するための手段】
【０００７】
従来技術における上記問題点を解決すべく、本開示技術の各実施形態では、情報取得方法と、情報プッシュ方法と、移動端末と、サーバと、システムが提供される。以下に技術的解決策を説明する。
【０００８】
本発明の情報取得方法では、
移動端末は、サーバが現地点の位置情報による検索を通じて、前記現地点に基づく地域情報リストを取得し、取得した前記現地点に基づく地域情報リストを前記移動端末へ送信できるように、前記現地点の位置情報を前記サーバへ送信し、
前記移動端末は、前記地域情報リストにおけるユーザの選択に応じた信号を前記サーバへ送信し、
前記移動端末は、前記サーバが返信した前記信号に対応する地域情報を受信し、受信した前記地域情報を表示する。
【０００９】
前記移動端末が前記現地点の位置情報を前記サーバへ送信することに先だって、前記情報取得方法ではさらに、
前記移動端末は前記現地点の位置情報を取得して、事前に設定したタイマーの測時操作により、設定した時間間隔で定期的にリマインダーを表示する。
【００１０】
さらに、前記地域情報リストは、少なくとも、地点紹介オプションと経路図オプションとを含む。
【００１１】
さらに、前記地域情報リストは、景勝地概要紹介オプションと、周辺飲食オプションと、旅行計画オプションと、ダウンロードソフトウェアスキンオプションと、プロモーション情報オプションと、天候オプションとの、少なくとも１つを含む。
【００１２】
本発明の情報プッシュ方法では、
サーバは、移動端末が送信した前記移動端末の現地点の位置情報を受信し、
前記サーバは、前記位置情報による検索を通じて、前記現地点に基づく地域情報リストを取得し、取得した前記現地点に基づく地域情報リストを前記移動端末へ送信し、
前記サーバは前記移動端末が送信した信号を受信し、受信した前記信号に対応する地域情報を前記移動端末へ返信する。
【００１３】
前記サーバが前記現地点に基づく地域情報リストを前記移動端末へ送信することに先だって、前記情報プッシュ方法ではさらに、
前記サーバは、前記現地点に基づく地域情報リストにおけるオプションの分類を行う。
【００１４】
本発明の移動端末は、
サーバが、現地点の位置情報による検索を通じて、前記現地点に基づく地域情報リストを取得できるように、前記現地点の位置情報を前記サーバへ送信するよう構成した位置情報送信モジュールと、
前記地域情報リストにおけるユーザの選択に応じた信号を前記サーバへ送信するよう構成した信号送信モジュールと、
前記サーバが返信した前記信号に対応する地域情報を受信して、受信した前記地域情報を表示するよう構成した地域情報表示モジュールと、
を備える。
【００１５】
さらに、前記地域情報リストは、少なくとも、紹介オプションと経路図オプションとを含む。
【００１６】
前記移動端末はさらに、
前記現地点の地域情報を取得し、設定した時間間隔で定期的にリマインダーを表示させるよう前記移動端末を制御するタイマーモジュール、を備える。
【００１７】
本発明のサーバは、
移動端末が送信した前記移動端末の現地点の位置情報を受信するよう構成した位置情報受信モジュールと、
前記位置情報による検索を通じて、前記現地点に基づく地域情報リストを取得し、取得した前記現地点に基づく地域情報リストを前記移動端末へ送信するよう構成したリスト取得モジュールと、
前記移動端末が送信した信号を受信し、受信した前記信号に対応する地域情報を前記移動端末へ返信するよう構成した地域情報送信モジュールと、
を備える。
【００１８】
さらに、前記リスト取得モジュールが取得した前記地域情報リストは、少なくとも、地点紹介オプションと経路図オプションとを含む。
【００１９】
前記サーバはさらに、
前記リスト取得モジュールが前記現地点に基づく地域情報リストを前記移動端末へ送信することに先だって、前記現地点に基づく地域情報リスト内におけるオプションを分類するよう構成したオプション分類モジュール、を備える。
【００２０】
本発明の情報取得・プッシュシステムは、移動端末とサーバとを備え、
前記移動端末は、
前記サーバが現地点の位置情報による検索を通じて、前記現地点に基づく地域情報リストを取得できるように、前記現地点の位置情報を前記サーバへ送信するよう構成した位置情報送信モジュールと、
前記地域情報リストにおけるユーザの選択に応じた信号を前記サーバへ送信するよう構成した信号送信モジュールと、
前記サーバが返信した前記信号に対応する地域情報を受信し、受信した前記地域情報を表示するよう構成した地域情報表示モジュールと、
を備える。
【００２１】
また、前記サーバは、
移動端末が送信した前記移動端末の現地点の位置情報を受信するよう構成した位置情報受信モジュールと、
前記位置情報による検索を通じて、前記現地点に基づく地域情報リストを取得し、取得した前記現地点に基づく地域情報リストを前記移動端末へ送信するよう構成したリスト取得モジュールと、
前記移動端末が送信した信号を受信し、前記信号に対応する地域情報を前記移動端末へ返信するよう構成した地域情報送信モジュールと、
を備える。
【００２２】
前記移動端末はさらに、
前記現地点の地域情報を取得し、設定した時間間隔で定期的にリマインダーを表示させるよう前記移動端末を制御するタイマーモジュール、を備える。
【００２３】
前記サーバはさらに、
前記リスト取得モジュールが前記現地点に基づく地域情報リストを前記移動端末へ送信することに先だって、前記現地点に基づく地域情報リスト内におけるオプションを分類するよう構成したオプション分類モジュール、を備える。
【発明の効果】
【００２４】
本発明の実施形態による技術的解決策がもたらす作用効果を、以下に説明する。
【００２５】
ユーザが現在到着している地点を取得し、その地点に対応する地域情報リストを該ユーザにプッシュし、さらに、プッシュした地域情報リストにおいて該ユーザが選択したオプションに従って、この現地点に関連する地域情報を該ユーザにプッシュする。これにより、ユーザの様々な要望を満たし、現地点に対応する地域情報により、ユーザと現地点との相互交流を向上させることが可能になる。
【図面の簡単な説明】
【００２６】
本発明の実施形態による技術的解決方法をより明確に説明するために、実施形態の説明に用いる添付図面を以下に簡単に説明する。以下の説明における添付図面には本発明の実施形態をいくつか例示するのみであり、他の添付図面については、当業者であれば創意工夫を要することなく、これら添付図面から導出することができる。
【図１】図１は本発明の実施形態１による情報取得・プッシュ方法を示す概略フローチャートである。
【図２】図２は本発明の実施形態２による情報取得・プッシュ方法を示す概略フローチャートである。
【図３】図３は本発明の実施形態２による、現地点を表す画像を示す概略図である。
【図４】図４は本発明の実施形態２による、ユーザの選択に対する分類結果に基づき表示した地域情報リストを示す概略図である。
【図５】図５は本発明の実施形態３による移動端末を示す概略構造図である。
【図６】図６は本発明の実施形態３による移動端末を示す別の概略構造図である。
【図７】図７は本発明の実施形態４によるサーバを示す概略構造図である。
【図８】図８は本発明の実施形態４によるサーバを示す別の概略構造図である。
【発明を実施するための形態】
【００２７】
本発明の目的、技術的解決策、および有利な効果をより明確にするために、添付の図面を参照して、本発明の実施形態を以下に詳細に説明する。
【００２８】
（実施形態１）
本実施形態では、情報取得方法が提供される。
【００２９】
この情報取得方法では、移動端末は、サーバが現地点の位置情報による検索を通じて、この現地点に基づく地域情報リストを取得し、取得した地域情報リストを移動端末へ送信できるように、上記現地点の位置情報をサーバへ送信し、
移動端末は、取得した地域情報リストにおいてユーザが選択を行うと、サーバへ信号を送信し、
移動端末は、サーバが返信した上記信号に対応する地域情報を受信し、受信したこの地域情報を表示する。
【００３０】
本実施形態では、また、情報プッシュ方法が提供される。
【００３１】
この情報プッシュ方法では、サーバは、移動端末が送信した自身の現地点の位置情報を受信し、
サーバは、上記位置情報による検索を通じて、現地点に基づく地域情報リストを取得し、この地域情報リストを移動端末へ送信し、
サーバは移動端末が送信した信号を受信し、この信号に対応する地域情報を移動端末へ返信する。
【００３２】
本実施形態やさらに後続の実施形態において挙げる移動端末とは、移動中に使用可能な演算装置のことを言い、例えば、携帯電話、ノートパソコン、タブレットコンピュータ、車載用コンピュータ等であるが、これらの例示に限定はされない。本実施形態、さらに後続の実施形態において、移動端末は何ら限定を受けない。
【００３３】
図１に示すように、上記の情報取得方法と情報プッシュ方法を組み合わせることで、本実施形態では、特に以下のブロックを含む情報取得・プッシュ方法が提供される。
【００３４】
ブロック１０１では、移動端末は現地点の位置情報をサーバへ送信する。ブロック１０２では、サーバは、上記位置情報による検索を通じて、現地点に基づく地域情報リストを取得する。ここで、上記地域情報リストには、少なくとも、地点紹介オプションと経路図オプションとが含まれる。
【００３５】
ブロック１０３では、サーバは取得した地域情報リストを移動端末へ送信する。ブロック１０４では、移動端末は、ユーザによる地域情報リストからの選択に対して応答する。ブロック１０５では、移動端末は信号をサーバへ送信する。この信号は、例えば、ユーザが地域情報リストから選択したオプションの情報を有する情報問い合わせ信号である。
【００３６】
ブロック１０６では、サーバは、この信号に対応する地域情報を移動端末へ返信する。ブロック１０７では、移動端末は上記地域情報を表示する。
【００３７】
本実施形態では、情報取得・プッシュ方法が提供される。この方法では、ユーザが現在到着している地点を取得し、その地点に対応する地域情報リストを該ユーザにプッシュし、さらに、プッシュした地域情報リストにおいて該ユーザが選択したオプションに従って、この現地点に関連する地域情報を該ユーザにプッシュする。これにより、ユーザの様々な要望を満たし、現地点に対応する地域情報により、ユーザと現地点との相互交流を向上させることが可能になる。
【００３８】
（実施形態２）
図２に示すように、本実施形態では、実施形態１の構成に改良を加えた情報取得・プッシュ方法が提供される。詳しくは、この情報取得・プッシュ方法には以下のステップが含まれる。
【００３９】
ブロック２０１では、所定時間に達すると、タイマーによって、移動端末は、自身の現地点の位置情報を取得する動作を開始する。
【００４０】
特に、タイマーは移動端末に設定されて、移動端末は、自身の現地点の位置情報を取得する動作を開始する。例えば、タイマーは、移動端末が１００秒毎に自身の現地点の位置情報取得動作を開始するよう、タイミング動作を実行可能に構成される。
【００４１】
所定時間は、１００秒以外の数値に設定してもよく、本実施形態では、所定時間の数値は何ら限定を受けない。位置情報は、例えば、緯度や経度の座標や、現地点のＬＢＳ情報等であるが、本実施形態では、位置情報の具体的内容を何ら限定しない。
【００４２】
さらに、このブロックを以下の動作に置き換えてもよい。移動端末は、ユーザが送信した位置特定要求を受信し、自身の現地点の位置情報を取得する。
【００４３】
本実施形態では、例えば、ユーザの到着地点は万里の長城である。
【００４４】
ブロック２０２では、移動端末は、自身の現地点についての位置情報をサーバへ送信する。ブロック２０３では、サーバは、上記位置情報による検索を通じて、現地点に基づく地域情報リストを取得する。
【００４５】
サーバには、各地点に対応する地域情報が保存されており、保存した地域情報を分類し、地域情報リストに含ませた複数のオプションを介して分類結果をユーザに提示して選択させる。特に本実施形態では、地域情報には、少なくとも、地点紹介オプションと経路図オプションとが含まれる。
【００４６】
地域情報リストには、さらに、景勝地概要紹介オプションと、周辺飲食オプションと、旅行計画オプションと、ダウンロードソフトウェアスキンオプションと、プロモーション情報オプションと、天候オプションとの１つ以上が含まれてもよい。
【００４７】
例えば、ユーザが万里の長城に到着すると、万里の長城に対応する地域情報リストには、景観概要紹介オプション、周辺飲食オプション、旅行計画オプション、ダウンロードソフトウェアスキンオプション等が含まれる。
【００４８】
ユーザがあるスーパーマーケットに到着すると、このスーパーマーケットに対応する地域情報リストには、スーパーマーケット概要紹介オプションと、プロモーション情報オプションと、バス経路オプション等が含まれる。
【００４９】
ここで、地域情報を用いた場合、サーバがユーザへ地域情報をプッシュすると、ユーザが選択したオプションに対応する地域情報のみがプッシュされるため、ユーザが負担するネットワークへのアクセス費が抑えられる。
【００５０】
ブロック２０４では、サーバは、取得した地域情報におけるオプションを分類して分類結果を得る。
【００５１】
ユーザが容易に選択を行えるように、地域情報リストのオプションはサーバで分類される。例えば、ユーザが万里の長城に到着すると、その地点に対応する地域情報に、万里の長城に関する景観概要紹介と、周辺の飲食店と、旅行計画と、ダウンロードソフトウェアスキン情報とが含まれていることを判断し、ユーザのこれらの情報への関心の度合いによって、以下の情報が分類結果として取得可能である。
【００５２】
万里の長城に関する、景観概要紹介と、周辺の飲食店と、旅行計画と、ダウンロードソフトウェアスキンとが含まれる。
【００５３】
ブロック２０５では、サーバは、地域情報リストを移動端末へ送信する。
【００５４】
さらに、地域情報リストを移動端末へ送信する際、同時に、現地点に対応する画像、例えば、万里の長城の画像を移動端末へ送信してもよい。
【００５５】
サーバには、事前に各地点の画像が保存されている。別の態様として、ユーザの現地点に基づく対応画像をサーバが取得し、移動端末へ送信してもよい。
【００５６】
ブロック２０６では、移動端末は、分類結果にしたがって、地域情報リストにおけるオプションを表示する。
【００５７】
詳しくは、図３に示すように、移動端末は、まず現地点に対応する画像を表示してもよい。
【００５８】
さらに、ユーザが画像をクリックした後、図４に詳細に示すように、各オプションを、地域情報リストにおけるオプションの分類結果にしたがって表示する。
【００５９】
ブロック２０７では、移動端末はユーザが選択したオプションを受信する。ブロック２０８では、移動端末は情報問い合わせ信号をサーバへ送信する。ここで、情報問い合わせ信号には、地域情報リストにおいてユーザが選択したオプションが含まれている。
【００６０】
ブロック２０９では、サーバは、情報問い合わせ信号による検索を通じて、この情報問い合わせ信号に対応する地域情報を取得する。
【００６１】
情報問い合わせ信号に対応する地域情報がサーバに保存されている場合、サーバが移動端末にプッシュする情報は無効となり、このフローは終了する。
【００６２】
ブロック２１０では、サーバは、情報問い合わせ信号に対応する地域情報を移動端末へ送信する。ブロック２１１では、移動端末は、情報問い合わせ信号に対応する地域情報を表示する。ブロック２１１の終了後、本方法ではさらに、ユーザがタイマーを停止する。
【００６３】
本実施形態では、情報取得・プッシュ方法が提供される。この方法では、ユーザが現在到着している地点を取得し、その地点に対応する地域情報リストを該ユーザにプッシュし、さらに、プッシュした地域情報リストにおいて該ユーザが選択したオプションに従って、この現地点に関連する地域情報を該ユーザにプッシュする。これにより、ユーザの様々な要望を満たし、現地点に対応する地域情報により、ユーザと現地点との相互交流を向上させることが可能になる。
【００６４】
（実施形態３）
図５に示すように、本実施形態では、移動端末が提供される。
【００６５】
この移動端末は、サーバが現地点の位置情報による検索を通じて、この現地点に基づく地域情報リストを取得できるように、該現地点の位置情報をサーバへ送信するよう構成した位置情報送信モジュール３０１と、
取得した地域情報リストにおいてユーザが選択を行うと、信号をサーバへ送信するよう構成した信号送信モジュール３０２と、
サーバが返信した上記信号に対応する地域情報を受信し、受信した地域情報を表示するよう構成した地域情報表示モジュール３０３と、
を備える。ここで、地域情報リストには、少なくとも、紹介オプションと経路図オプションとが含まれる。
【００６６】
図６に示すように、上記移動端末はさらに、
現地点の地域情報を取得し、設定した時間間隔で定期的にリマインダーが表示されるよう移動端末を制御するタイマーモジュール３０４、を備える。
【００６７】
本実施形態では、ユーザが現在到着している地点を取得し、サーバがプッシュしたこの現地点に対応する地域情報リストを受信し、ユーザが地域情報リストにおいて選択したオプションに従って、サーバが取得した現地点の関連地域情報を受信する。これにより、ユーザの様々な要望を満たし、現地点に対応する地域情報により、ユーザと現地点との相互交流を向上させることが可能になる。
【００６８】
（実施形態４）
図７に示すように、本発明ではサーバが提供される。
【００６９】
このサーバは、移動端末が送信した自身の現地点の位置情報を受信するよう構成した位置情報受信モジュール４０１と、
受信した位置情報による検索を通じて、この現地点に基づく地域情報リストを取得し、該現地点に基づく地域情報リストを移動端末へ送信するよう構成したリスト取得モジュールと４０２と、
前記移動端末が送信した信号を受信し、上記信号に対応する地域情報を移動端末へ返信するよう構成した地域情報送信モジュール４０３と、
を備える。ここで、リスト取得モジュール４０２が取得した地域情報リストには、少なくとも、地点紹介オプションと経路図オプションとが含まれる。
【００７０】
図８に示すように、前記サーバはさらに、
リスト取得モジュール４０２が上記現地点に基づく地域情報リストを移動端末へ送信することに先だって、上記現地点に基づく地域情報リストにおけるオプションを分類するよう構成したオプション分類モジュール４０４、を備える。
【００７１】
本実施形態では、サーバが提供される。このサーバでは、ユーザが到着している現在の地点に関する地域情報を受信した後、この地点に対応する地域情報リストをユーザへプッシュし、地域情報リストにおいてユーザが選択したオプションに従って、該現地点に関連する地域情報をユーザへプッシュする。これにより、ユーザの様々な要望を満たし、現地点に対応する地域情報により、ユーザと現地点との相互交流を向上させることが可能になる。
【００７２】
一方、本開示では、情報取得・プッシュシステムが提供される。このシステムは、実施形態３に記載した移動端末と、実施形態４に記載したサーバとを備える。本システムでは、ユーザが現在到着している地点を取得した後、この地点に対応する地域情報リストを該ユーザへプッシュし、地域情報リストにおいてユーザが選択したオプションに従って、該現地点に関連する地域情報をユーザへプッシュする。これにより、ユーザの様々な要望を満たし、現地点に対応する地域情報により、ユーザと現地点との相互交流を向上させることが可能になる。
【００７３】
当業者であれば、上記実施形態を実現するブロックのすべてまたはその一部がハードウェアを用いて、あるいは、プログラムの指示で作動するハードウェアを用いて遂行可能であることは、理解の範囲内である。その場合のプログラムは、コンピュータによる読み取り可能な記憶媒体、例えば、読取専用メモリ、磁気ディスク、光学ディスク等に記憶させることが可能である。
【００７４】
以上の説明はあくまで好ましい実施形態であり、本発明の範囲を限定するものではない。本発明の精神と原則を逸脱しない限り、これに代わる均等物、変更、改良はすべて本発明の範囲に含まれる。
【符号の説明】
【００７５】
３０１  位置情報送信モジュール
３０２  信号送信モジュール
３０３  地域情報表示モジュール
３０４  タイマーモジュール
４０１  位置情報受信モジュール
４０２  リスト取得モジュールと
４０３  地域情報送信モジュール
４０４  オプション分類モジュール
【図１】
2015510362.tif 000003
【図２】
2015510362.tif 000004
【図７】
2015510362.tif 000005
【図８】
2015510362.tif 000006
【図３】
2015510362.tif 000007
【図４】
2015510362.tif 000008
【図５】
2015510362.tif 000009
【図６】
2015510362.tif 000010
【手続補正書】
【提出日】平成26年11月10日(2014.11.10)
【手続補正１】
【補正対象書類名】特許請求の範囲
【補正対象項目名】全文
【補正方法】変更
【補正の内容】
【特許請求の範囲】
【請求項１】
端末は、現地点の位置情報を送信して、前記現地点に関連する地域情報リストを取得し、
前記端末は、前記地域情報リストにおける選択に応じた信号を送信し、
前記端末は、前記信号に対応する地域情報を受信し、受信した前記地域情報を表示する、
情報取得方法。
【請求項２】
前記端末が前記現地点の位置情報を送信することに先だって、さらに、前記端末は前記現地点の位置情報を取得して、事前に設定したタイマーの測時操作により、設定した時間間隔で定期的にリマインダーを表示する、
請求項１に記載の情報取得方法。
【請求項３】
前記地域情報リストは、少なくとも、地点紹介オプションと経路図オプションとを含む、
請求項１または２に記載の情報取得方法。
【請求項４】
前記地域情報リストは、さらに、景勝地概要紹介オプションと、周辺飲食オプションと、旅行計画オプションと、ダウンロードソフトウェアスキンオプションと、プロモーション情報オプションと、天候オプションとの、少なくとも１つを含む、
請求項３に記載の情報取得方法。
【請求項５】
前記端末が前記現地点の位置情報を送信して前記現地点に関連する地域情報リストを取得する前記構成において、前記端末は、前記現地点の位置情報を送信し、送信した前記位置情報に準じて、前記現地点に基づく地域情報リストを取得する、
請求項１に記載の情報取得方法。
【請求項６】
サーバは、端末が送信した前記端末の現地点の位置情報を受信し、
前記サーバは、前記位置情報による検索を通じて、前記現地点に基づく地域情報リストを取得し、取得した前記現地点に基づく地域情報リストを前記端末へ送信し、
前記サーバは前記端末が送信した信号を受信し、受信した前記信号に対応する地域情報を前記端末へ返信する、
情報プッシュ方法。
【請求項７】
前記サーバが前記現地点に基づく地域情報リストを前記端末へ送信することに先だって、さらに、前記サーバは、前記現地点に基づく地域情報リストにおけるオプションの分類を行う、
請求項６に記載の情報プッシュ方法。
【請求項８】
現地点の位置情報を送信して、前記現地点に関連する地域情報リストを取得するよう構成した位置情報送信モジュールと、
前記地域情報リストにおける選択に応じた信号を送信するよう構成した信号送信モジュールと、
前記信号に対応する地域情報を受信して、受信した前記地域情報を表示するよう構成した地域情報表示モジュールと、
を備える、端末。
【請求項９】
前記地域情報リストは、少なくとも、地点紹介オプションと経路図オプションとを含む、
請求項８に記載の端末。
【請求項１０】
前記現地点の地域情報を取得し、設定した時間間隔で定期的にリマインダーを表示させるよう前記端末を制御するタイマーモジュールをさらに備える、
請求項８または９に記載の端末。
【請求項１１】
前記位置情報送信モジュールは、前記現地点の位置情報を送信し、送信した前記位置情報に準じて、前記現地点に基づく地域情報リストを取得するよう構成される、
請求項８に記載の端末。
【請求項１２】
端末が送信した前記端末の現地点の位置情報を受信するよう構成した位置情報受信モジュールと、
前記位置情報による検索を通じて、前記現地点に基づく地域情報リストを取得し、取得した前記現地点に基づく地域情報リストを前記端末へ送信するよう構成したリスト取得モジュールと、
前記端末が送信した信号を受信し、受信した前記信号に対応する地域情報を前記端末へ返信するよう構成した地域情報送信モジュールと、
を備える、サーバ。
【請求項１３】
前記リスト取得モジュールが取得した前記地域情報リストは、少なくとも、地点紹介オプションと経路図オプションとを含む、
請求項１２に記載のサーバ。
【請求項１４】
前記リスト取得モジュールが前記現地点に基づく地域情報リストを前記端末へ送信することに先だって、前記現地点に基づく地域情報リスト内におけるオプションを分類するよう構成したオプション分類モジュールをさらに備える、
請求項１２または１３に記載のサーバ。
【請求項１５】
端末とサーバとを備え、
前記端末は、
前記サーバが現地点の位置情報による検索を通じて、前記現地点に基づく地域情報リストを取得できるように、前記現地点の位置情報を前記サーバへ送信するよう構成した位置情報送信モジュールと、
前記地域情報リストにおける選択に応じた信号を前記サーバへ送信するよう構成した信号送信モジュールと、
前記サーバが返信した前記信号に対応する地域情報を受信し、受信した前記地域情報を表示するよう構成した地域情報表示モジュールと、
を備え、
前記サーバは、
前記端末が送信した前記端末の現地点の位置情報を受信するよう構成した位置情報受信モジュールと、
前記位置情報による検索を通じて、前記現地点に基づく地域情報リストを取得し、取得した前記現地点に基づく地域情報リストを前記端末へ送信するよう構成したリスト取得モジュールと、
前記端末が送信した信号を受信し、受信した前記信号に対応する地域情報を前記端末へ返信するよう構成した地域情報送信モジュールと、
を備える情報取得・プッシュシステム。
【請求項１６】
前記端末は、前記現地点の地域情報を取得し、設定した時間間隔で定期的にリマインダーを表示させるよう前記端末を制御するタイマーモジュールをさらに備える、
請求項１５に記載の情報取得・プッシュシステム。
【請求項１７】
前記サーバは、前記リスト取得モジュールが前記現地点に基づく地域情報リストを前記端末へ送信することに先だって、前記現地点に基づく地域情報リスト内におけるオプションを分類するよう構成したオプション分類モジュールをさらに備える、
請求項１５に記載の情報取得・プッシュシステム。
【手続補正２】
【補正対象書類名】明細書
【補正対象項目名】全文
【補正方法】変更
【補正の内容】
【発明の詳細な説明】
【技術分野】
【０００１】
本発明は、コンピュータ技術に関し、詳しくは、情報取得方法と、情報プッシュ方法と、端末と、サーバと、システムとに関する。
【０００２】
本出願は、中華人民共和国国家知識産権局への出願日を２０１２年２月２９日とし、発明の名称を「情報取得方法、情報プッシュ方法、移動端末、サーバ、およびシステム」とする、中国特許出願第２０１２１００４９７６３．６号の利益を主張するものである。該出願明細書の全開示内容を、ここに参考文献として援用する。
【背景技術】
【０００３】
インターネットの発展、特に、無線ネットワークの急速な発展とともに、移動ネットワークにアクセスする装置の数は増加し続けている。この場合、位置情報サービス（ＬＢＳ）が広く一般に用いられ、ユーザは様々な方法で自身の位置に関する情報を取得可能となっている。
【０００４】
これらの方法とは、例えば、全地球位置発見システム（ＧＰＳ）を通じて行う位置特定、端末に内蔵したＧＰＳチップを通じて行う位置特定、移動端末通信事業者の基地局を通じて行う位置特定、最近急速に開発が進むワイヤレス・フィディリティー（ＷｉＦｉ）を通じて行う位置特定が含まれる。
【発明の概要】
【発明が解決しようとする課題】
【０００５】
本開示技術を実施する中、発明者は、先行技術には少なくとも以下に指摘する問題点があることを発見した。
【０００６】
先行技術において、ユーザ位置の取得はすでに実現されており、ユーザの位置特定に関する要望に対応している。これにより、ユーザは自身の位置を明確に把握することができる。一方、先行技術では、地理的位置に対するユーザの多種多様な要望を満たすには至っておらず、ユーザの現在位置に関する地域情報との相互交流は未だ図られていない。
【課題を解決するための手段】
【０００７】
従来技術における上記問題点を解決すべく、本開示技術の各実施形態では、情報取得方法と、情報プッシュ方法と、端末と、サーバと、システムが提供される。以下に技術的解決策を説明する。
【０００８】
本発明の情報取得方法では、
端末は、現地点の位置情報を送信して、前記現地点に関連する地域情報リストを取得し、
前記端末は、前記地域情報リストにおける選択に応じた信号を送信し、
前記端末は、前記信号に対応する地域情報を受信し、受信した前記地域情報を表示する。
【０００９】
前記端末が前記現地点の位置情報を送信することに先だって、前記情報取得方法ではさらに、
前記端末は前記現地点の位置情報を取得して、事前に設定したタイマーの測時操作により、設定した時間間隔で定期的にリマインダーを表示する。
【００１０】
さらに、前記地域情報リストは、少なくとも、地点紹介オプションと経路図オプションとを含む。
【００１１】
さらに、前記地域情報リストは、景勝地概要紹介オプションと、周辺飲食オプションと、旅行計画オプションと、ダウンロードソフトウェアスキンオプションと、プロモーション情報オプションと、天候オプションとの、少なくとも１つを含む。
【００１２】
さらに前記端末が前記現地点の位置情報を送信して前記現地点に関連する地域情報リストを取得する上記構成において、前記端末は、前記現地点の位置情報を送信し、送信した前記位置情報に準じて、前記現地点に基づく地域情報リストを取得する。
【００１３】
本発明の情報プッシュ方法では、
サーバは、端末が送信した前記端末の現地点の位置情報を受信し、
前記サーバは、前記位置情報による検索を通じて、前記現地点に基づく地域情報リストを取得し、取得した前記現地点に基づく前記地域情報リストを前記端末へ送信し、
前記サーバは前記端末が送信した信号を受信し、受信した前記信号に対応する地域情報を前記端末へ返信する。
【００１４】
前記サーバが前記現地点に基づく地域情報リストを前記端末へ送信することに先だって、前記情報プッシュ方法ではさらに、
前記サーバは、前記現地点に基づく地域情報リストにおけるオプションの分類を行う。
【００１５】
本発明の端末は、
現地点の位置情報を送信して、前記現地点に関連する地域情報リストを取得するよう構成した位置情報送信モジュールと、
前記地域情報リストにおける選択に応じた信号を送信するよう構成した信号送信モジュールと、
前記信号に対応する地域情報を受信して、受信した前記地域情報を表示するよう構成した地域情報表示モジュールと、
を備える。
【００１６】
さらに、前記地域情報リストは、少なくとも、地点紹介オプションと経路図オプションとを含む。
【００１７】
前記端末はさらに、
前記現地点の地域情報を取得し、設定した時間間隔で定期的にリマインダーを表示させるように前記端末を制御するタイマーモジュール、を備える。
【００１８】
前記位置情報送信モジュールは、前記現地点の位置情報を送信し、送信した前記位置情報に準じて、前記現地点に基づく地域情報リストを取得するよう構成される。
【００１９】
本発明のサーバは、
端末が送信した前記端末の現地点の位置情報を受信するよう構成した位置情報受信モジュールと、
前記位置情報による検索を通じて、前記現地点に基づく地域情報リストを取得し、取得した前記現地点に基づく地域情報リストを前記端末へ送信するよう構成したリスト取得モジュールと、
前記端末が送信した信号を受信し、受信した前記信号に対応する地域情報を前記端末へ返信するよう構成した地域情報送信モジュールと、
を備える。
【００２０】
さらに、前記リスト取得モジュールが取得した前記地域情報リストは、少なくとも、地点紹介オプションと経路図オプションとを含む。
【００２１】
前記サーバはさらに、
前記リスト取得モジュールが前記現地点に基づく地域情報リストを前記端末へ送信することに先だって、前記現地点に基づく地域情報リスト内におけるオプションを分類するよう構成したオプション分類モジュール、を備える。
【００２２】
本発明の情報取得・プッシュシステムは、端末とサーバとを備え、
前記端末は、
前記サーバが現地点の位置情報による検索を通じて、前記現地点に基づく地域情報リストを取得できるように、前記現地点の位置情報を前記サーバへ送信するよう構成した位置情報送信モジュールと、
前記地域情報リストにおける選択に応じた信号を前記サーバへ送信するよう構成した信号送信モジュールと、
前記サーバが返信した前記信号に対応する地域情報を受信し、受信した前記地域情報を表示するよう構成した地域情報表示モジュールと、
を備える。
【００２３】
また、前記サーバは、
前記端末が送信した前記端末の現地点の位置情報を受信するよう構成した位置情報受信モジュールと、
前記位置情報による検索を通じて、前記現地点に基づく地域情報リストを取得し、取得した前記現地点に基づく地域情報リストを前記端末へ送信するよう構成したリスト取得モジュールと、
前記端末が送信した信号を受信し、前記信号に対応する地域情報を前記端末へ返信するよう構成した地域情報送信モジュールと、
を備える。
【００２４】
前記端末はさらに、
前記現地点の地域情報を取得し、設定した時間間隔で定期的にリマインダーを表示させるよう前記端末を制御するタイマーモジュール、を備える。
【００２５】
前記サーバはさらに、
前記リスト取得モジュールが前記現地点に基づく地域情報リストを前記端末へ送信することに先だって、前記現地点に基づく地域情報リスト内におけるオプションを分類するよう構成したオプション分類モジュール、を備える。
【発明の効果】
【００２６】
本発明の実施形態による技術的解決策がもたらす作用効果を、以下に説明する。
【００２７】
ユーザが現在到着している地点を取得し、その地点に対応する地域情報リストを該ユーザにプッシュし、さらに、プッシュした地域情報リストにおいて該ユーザが選択したオプションに従って、この現地点に関連する地域情報を該ユーザにプッシュする。これにより、ユーザの様々な要望を満たし、現地点に対応する地域情報により、ユーザと現地点との相互交流を向上させることが可能になる。
【図面の簡単な説明】
【００２８】
本発明の実施形態による技術的解決方法をより明確に説明するために、実施形態の説明に用いる添付図面を以下に簡単に説明する。以下の説明における添付図面には本発明の実施形態をいくつか例示するのみであり、他の添付図面については、当業者であれば創意工夫を要することなく、これら添付図面から導出することができる。
【図１】図１は本発明の実施形態１による情報取得・プッシュ方法を示す概略フローチャートである。
【図２】図２は本発明の実施形態２による情報取得・プッシュ方法を示す概略フローチャートである。
【図３】図３は本発明の実施形態２による、現地点を表す画像を示す概略図である。
【図４】図４は本発明の実施形態２による、ユーザの選択に対する分類結果に基づき表示した地域情報リストを示す概略図である。
【図５】図５は本発明の実施形態３による移動端末を示す概略構造図である。
【図６】図６は本発明の実施形態３による移動端末を示す別の概略構造図である。
【図７】図７は本発明の実施形態４によるサーバを示す概略構造図である。
【図８】図８は本発明の実施形態４によるサーバを示す別の概略構造図である。
【発明を実施するための形態】
【００２９】
本発明の目的、技術的解決策、および有利な効果をより明確にするために、添付の図面を参照して、本発明の実施形態を以下に詳細に説明する。
【００３０】
（実施形態１）
本実施形態では、情報取得方法が提供される。
【００３１】
この情報取得方法では、移動端末は、サーバが現地点の位置情報による検索を通じて、この現地点に基づく地域情報リストを取得し、取得した地域情報リストを移動端末へ送信できるように、上記現地点の位置情報をサーバへ送信し、
移動端末は、取得した地域情報リストにおいてユーザが選択を行うと、サーバへ信号を送信し、
移動端末は、サーバが返信した上記信号に対応する地域情報を受信し、受信したこの地域情報を表示する。
【００３２】
本実施形態では、また、情報プッシュ方法が提供される。
【００３３】
この情報プッシュ方法では、サーバは、移動端末が送信した自身の現地点の位置情報を受信し、
サーバは、上記位置情報による検索を通じて、現地点に基づく地域情報リストを取得し、この地域情報リストを移動端末へ送信し、
サーバは移動端末が送信した信号を受信し、この信号に対応する地域情報を移動端末へ返信する。
【００３４】
本実施形態やさらに後続の実施形態において挙げる移動端末（端末）とは、移動中に使用可能な演算装置のことを言い、例えば、携帯電話、ノートパソコン、タブレットコンピュータ、車載用コンピュータ等であるが、これらの例示に限定はされない。本実施形態、さらに後続の実施形態において、移動端末は何ら限定を受けない。
【００３５】
図１に示すように、上記の情報取得方法と情報プッシュ方法を組み合わせることで、本実施形態では、特に以下のブロックを含む情報取得・プッシュ方法が提供される。
【００３６】
ブロック１０１では、移動端末は現地点の位置情報をサーバへ送信する。ブロック１０２では、サーバは、上記位置情報による検索を通じて、現地点に基づく地域情報リストを取得する。ここで、上記地域情報リストには、少なくとも、地点紹介オプションと経路図オプションとが含まれる。
【００３７】
ブロック１０３では、サーバは取得した地域情報リストを移動端末へ送信する。ブロック１０４では、移動端末は、ユーザによる地域情報リストからの選択に対して応答する。ブロック１０５では、移動端末は信号をサーバへ送信する。この信号は、例えば、ユーザが地域情報リストから選択したオプションの情報を有する情報問い合わせ信号である。
【００３８】
ブロック１０６では、サーバは、この信号に対応する地域情報を移動端末へ返信する。ブロック１０７では、移動端末は上記地域情報を表示する。
【００３９】
本実施形態では、情報取得・プッシュ方法が提供される。この方法では、ユーザが現在到着している地点を取得し、その地点に対応する地域情報リストを該ユーザにプッシュし、さらに、プッシュした地域情報リストにおいて該ユーザが選択したオプションに従って、この現地点に関連する地域情報を該ユーザにプッシュする。これにより、ユーザの様々な要望を満たし、現地点に対応する地域情報により、ユーザと現地点との相互交流を向上させることが可能になる。
【００４０】
（実施形態２）
図２に示すように、本実施形態では、実施形態１の構成に改良を加えた情報取得・プッシュ方法が提供される。詳しくは、この情報取得・プッシュ方法には以下のステップが含まれる。
【００４１】
ブロック２０１では、所定時間に達すると、タイマーによって、移動端末は、自身の現地点の位置情報を取得する動作を開始する。
【００４２】
特に、タイマーは移動端末に設定されて、移動端末は、自身の現地点の位置情報を取得する動作を開始する。例えば、タイマーは、移動端末が１００秒毎に自身の現地点の位置情報取得動作を開始するよう、タイミング動作を実行可能に構成される。
【００４３】
所定時間は、１００秒以外の数値に設定してもよく、本実施形態では、所定時間の数値は何ら限定を受けない。位置情報は、例えば、緯度や経度の座標や、現地点のＬＢＳ情報等であるが、本実施形態では、位置情報の具体的内容を何ら限定しない。
【００４４】
さらに、このブロックを以下の動作に置き換えてもよい。移動端末は、ユーザが送信した位置特定要求を受信し、自身の現地点の位置情報を取得する。
【００４５】
本実施形態では、例えば、ユーザの到着地点は万里の長城である。
【００４６】
ブロック２０２では、移動端末は、自身の現地点についての位置情報をサーバへ送信する。ブロック２０３では、サーバは、上記位置情報による検索を通じて、現地点に基づく地域情報リストを取得する。
【００４７】
サーバには、各地点に対応する地域情報が保存されており、保存した地域情報を分類し、地域情報リストに含ませた複数のオプションを介して分類結果をユーザに提示して選択させる。特に本実施形態では、地域情報には、少なくとも、地点紹介オプションと経路図オプションとが含まれる。
【００４８】
地域情報リストには、さらに、景勝地概要紹介オプションと、周辺飲食オプションと、旅行計画オプションと、ダウンロードソフトウェアスキンオプションと、プロモーション情報オプションと、天候オプションとの１つ以上が含まれてもよい。
【００４９】
例えば、ユーザが万里の長城に到着すると、万里の長城に対応する地域情報リストには、景観概要紹介オプション、周辺飲食オプション、旅行計画オプション、ダウンロードソフトウェアスキンオプション等が含まれる。
【００５０】
ユーザがあるスーパーマーケットに到着すると、このスーパーマーケットに対応する地域情報リストには、スーパーマーケット概要紹介オプションと、プロモーション情報オプションと、バス経路オプション等が含まれる。
【００５１】
ここで、地域情報を用いた場合、サーバがユーザへ地域情報をプッシュすると、ユーザが選択したオプションに対応する地域情報のみがプッシュされるため、ユーザが負担するネットワークへのアクセス費が抑えられる。
【００５２】
ブロック２０４では、サーバは、取得した地域情報におけるオプションを分類して分類結果を得る。
【００５３】
ユーザが容易に選択を行えるように、地域情報リストのオプションはサーバで分類される。例えば、ユーザが万里の長城に到着すると、その地点に対応する地域情報に、万里の長城に関する景観概要紹介と、周辺の飲食店と、旅行計画と、ダウンロードソフトウェアスキン情報とが含まれていることを判断し、ユーザのこれらの情報への関心の度合いによって、以下の情報が分類結果として取得可能である。
【００５４】
万里の長城に関する、景観概要紹介と、周辺の飲食店と、旅行計画と、ダウンロードソフトウェアスキンとが含まれる。
【００５５】
ブロック２０５では、サーバは、地域情報リストを移動端末へ送信する。
【００５６】
さらに、地域情報リストを移動端末へ送信する際、同時に、現地点に対応する画像、例えば、万里の長城の画像を移動端末へ送信してもよい。
【００５７】
サーバには、事前に各地点の画像が保存されている。別の態様として、ユーザの現地点に基づく対応画像をサーバが取得し、移動端末へ送信してもよい。
【００５８】
ブロック２０６では、移動端末は、分類結果にしたがって、地域情報リストにおけるオプションを表示する。
【００５９】
詳しくは、図３に示すように、移動端末は、まず現地点に対応する画像を表示してもよい。
【００６０】
さらに、ユーザが画像をクリックした後、図４に詳細に示すように、各オプションを、地域情報リストにおけるオプションの分類結果にしたがって表示する。
【００６１】
ブロック２０７では、移動端末はユーザが選択したオプションを受信する。ブロック２０８では、移動端末は情報問い合わせ信号をサーバへ送信する。ここで、情報問い合わせ信号には、地域情報リストにおいてユーザが選択したオプションが含まれている。
【００６２】
ブロック２０９では、サーバは、情報問い合わせ信号による検索を通じて、この情報問い合わせ信号に対応する地域情報を取得する。
【００６３】
情報問い合わせ信号に対応する地域情報がサーバに保存されている場合、サーバが移動端末にプッシュする情報は無効となり、このフローは終了する。
【００６４】
ブロック２１０では、サーバは、情報問い合わせ信号に対応する地域情報を移動端末へ送信する。ブロック２１１では、移動端末は、情報問い合わせ信号に対応する地域情報を表示する。ブロック２１１の終了後、本方法ではさらに、ユーザがタイマーを停止する。
【００６５】
本実施形態では、情報取得・プッシュ方法が提供される。この方法では、ユーザが現在到着している地点を取得し、その地点に対応する地域情報リストを該ユーザにプッシュし、さらに、プッシュした地域情報リストにおいて該ユーザが選択したオプションに従って、この現地点に関連する地域情報を該ユーザにプッシュする。これにより、ユーザの様々な要望を満たし、現地点に対応する地域情報により、ユーザと現地点との相互交流を向上させることが可能になる。
【００６６】
（実施形態３）
図５に示すように、本実施形態では、移動端末が提供される。
【００６７】
この移動端末は、サーバが現地点の位置情報による検索を通じて、この現地点に基づく地域情報リストを取得できるように、該現地点の位置情報をサーバへ送信するよう構成した位置情報送信モジュール３０１と、
取得した地域情報リストにおいてユーザが選択を行うと、信号をサーバへ送信するよう構成した信号送信モジュール３０２と、
サーバが返信した上記信号に対応する地域情報を受信し、受信した地域情報を表示するよう構成した地域情報表示モジュール３０３と、
を備える。ここで、地域情報リストには、少なくとも、紹介オプションと経路図オプションとが含まれる。
【００６８】
図６に示すように、上記移動端末はさらに、
現地点の地域情報を取得し、設定した時間間隔で定期的にリマインダーが表示されるよう移動端末を制御するタイマーモジュール３０４、を備える。
【００６９】
本実施形態では、ユーザが現在到着している地点を取得し、サーバがプッシュしたこの現地点に対応する地域情報リストを受信し、ユーザが地域情報リストにおいて選択したオプションに従って、サーバが取得した現地点の関連地域情報を受信する。これにより、ユーザの様々な要望を満たし、現地点に対応する地域情報により、ユーザと現地点との相互交流を向上させることが可能になる。
【００７０】
（実施形態４）
図７に示すように、本発明ではサーバが提供される。
【００７１】
このサーバは、移動端末が送信した自身の現地点の位置情報を受信するよう構成した位置情報受信モジュール４０１と、
受信した位置情報による検索を通じて、この現地点に基づく地域情報リストを取得し、該現地点に基づく地域情報リストを移動端末へ送信するよう構成したリスト取得モジュールと４０２と、
前記移動端末が送信した信号を受信し、上記信号に対応する地域情報を移動端末へ返信するよう構成した地域情報送信モジュール４０３と、
を備える。ここで、リスト取得モジュール４０２が取得した地域情報リストには、少なくとも、地点紹介オプションと経路図オプションとが含まれる。
【００７２】
図８に示すように、前記サーバはさらに、
リスト取得モジュール４０２が上記現地点に基づく地域情報リストを移動端末へ送信することに先だって、上記現地点に基づく地域情報リストにおけるオプションを分類するよう構成したオプション分類モジュール４０４、を備える。
【００７３】
本実施形態では、サーバが提供される。このサーバでは、ユーザが到着している現在の地点に関する地域情報を受信した後、この地点に対応する地域情報リストをユーザへプッシュし、地域情報リストにおいてユーザが選択したオプションに従って、該現地点に関連する地域情報をユーザへプッシュする。これにより、ユーザの様々な要望を満たし、現地点に対応する地域情報により、ユーザと現地点との相互交流を向上させることが可能になる。
【００７４】
一方、本開示では、情報取得・プッシュシステムが提供される。このシステムは、実施形態３に記載した移動端末と、実施形態４に記載したサーバとを備える。本システムでは、ユーザが現在到着している地点を取得した後、この地点に対応する地域情報リストを該ユーザへプッシュし、地域情報リストにおいてユーザが選択したオプションに従って、該現地点に関連する地域情報をユーザへプッシュする。これにより、ユーザの様々な要望を満たし、現地点に対応する地域情報により、ユーザと現地点との相互交流を向上させることが可能になる。
【００７５】
当業者であれば、上記実施形態を実現するブロックのすべてまたはその一部がハードウェアを用いて、あるいは、プログラムの指示で作動するハードウェアを用いて遂行可能であることは、理解の範囲内である。その場合のプログラムは、コンピュータによる読み取り可能な記憶媒体、例えば、読取専用メモリ、磁気ディスク、光学ディスク等に記憶させることが可能である。
【００７６】
以上の説明はあくまで好ましい実施形態であり、本発明の範囲を限定するものではない。本発明の精神と原則を逸脱しない限り、これに代わる均等物、変更、改良はすべて本発明の範囲に含まれる。
【符号の説明】
【００７７】
３０１  位置情報送信モジュール
３０２  信号送信モジュール
３０３  地域情報表示モジュール
３０４  タイマーモジュール
４０１  位置情報受信モジュール
４０２  リスト取得モジュールと
４０３  地域情報送信モジュール
４０４  オプション分類モジュール
【国際調査報告】
2015510362.tif 000011
2015510362.tif 000012
2015510362.tif 000013
2015510362.tif 000014
2015510362.tif 000015